(57)【要約】【課題】個別仕様に対して行っているオプション機能の設計の軽減化とねじが原因となる短絡の防止と盤間を連結する銅バーの省スペース化および点検のし易さとを図ることができる調光装置を提供する。【解決手段】調光装置１０は、主幹ブレーカを内蔵し、下部に自由空間１２を設けた主幹盤１１と、調光機能を有する調光ユニットを搭載するユニットスペース２０〜２９を有し、ユニットスペース２０〜２９の上部に冷却ファン３０を有する調光器盤１３，１４と、を備え、調光器盤１３，１４は、主幹盤１１に対して複数連結可能であり、ユニットスペース２０〜２９は、調光ユニットと同一形状に形成されてオプション機能を有するオプションユニットと調光ユニットとを入れ替え自在である。【選択図】図１
2010080078.tif 000002
【特許請求の範囲】
【請求項１】
主幹ブレーカを内蔵し、下部に自由空間を設けた主幹盤と、
調光機能を有する調光ユニットを搭載するユニットスペースを有し、前記ユニットスペースの上部に冷却ファンを有する調光器盤と、を備える調光装置であって、
前記調光器盤は、前記主幹盤に対して複数連結可能であり、
前記ユニットスペースは、前記調光ユニットと同一形状に形成されてオプション機能を有するオプションユニットと前記調光ユニットとを入れ替え自在であることを特徴とする調光装置。
【請求項２】
前記オプションユニットは、前面に締結部材落下防止部を設けていることを特徴とする請求項１記載の調光装置。
【請求項３】
前記主幹盤と前記調光器盤とを電気的に接続する主幹バーを備え、
少なくとも前記調光器盤は、絶縁性を有して階段状に形成され、前記主幹バーを支持する主幹バー支持部材を備えていることを特徴とする請求項１または２記載の調光装置。
【発明の詳細な説明】
【技術分野】
【０００１】
本発明は、ホールやステージあるいは宴会場等の中型施設や大型施設に設置される複数の照明器具を調光するのに用いられる調光装置に関する。
【背景技術】
【０００２】
従来の調光装置の一例として、ファンによる風がケーシングの吸気孔より排気孔に向かって流れるように調光ユニットおよびファンを配設した調光ボックスを備え、複数の調光ユニットに対して１個のファンを調光ユニットの吸気孔に着脱可能に設けたものが知られている（例えば、特許文献１参照）。
【特許文献１】特開平８−２７３４２８号公報（図１、請求項１）
【発明の開示】
【発明が解決しようとする課題】
【０００３】
ホールやステージあるいは宴会場等の中型施設や大型施設は、それらの、スペース、部屋数、照明器具数、照明器具の種類等が同一ではなく、設置される調光装置の仕様も個別となる。
そのため、上記特許文献１に開示された従来の調光装置においては、調光ユニットに搭載される調光機能を除く他のオプション機能は個別仕様に対して、盤内のスペース、配線、設置方法等を仕様毎に個別に設計していた。
さらに、仕様ごとに設計していたため、盤内の感電部近傍に、オプション機能の配線用のねじ端子台が設置された場合、ねじ端子台からのねじの落下に伴う感電部との短絡の虞があった。
加えて、複数の調光器盤を配設する場合、盤間を連結する主幹バー等の銅バーは、縦(高さ)もしくは奥行き方向に配列されて縦(高さ〉方向に大きくスペースが必要となったり、点検時に連結部などのチェックポイントが点検しにくくなったりする。
【０００４】
本発明は、前述した要望を満たすためになされたもので、その目的は、個別仕様に対して行っているオプション機能の設計の軽減化とねじが原因となる短絡の防止と盤間を連結する銅バーの省スペース化および点検のし易さとを図ることができる調光装置を提供することにある。
【課題を解決するための手段】
【０００５】
本発明の調光装置は、主幹ブレーカを内蔵し、下部に自由空間を設けた主幹盤と、調光機能を有する調光ユニットを搭載するユニットスペースを有し、前記ユニットスペースの上部に冷却ファンを有する調光器盤と、を備える調光装置であって、前記調光器盤は、前記主幹盤に対して複数連結可能であり、前記ユニットスペースは、前記調光ユニットと同一形状に形成されてオプション機能を有するオプションユニットと前記調光ユニットとを入れ替え自在であることを特徴とする。
【０００６】
本発明においては、複数の調光器盤を主幹盤に対して連結可能であるために、オプション機能の数に応じて調光器盤を適宜連結することができる。
よって、オプション機能を個別仕様に応じて別途に設計している従来のものと比べて、設計の簡略化を図ることができる。
【０００７】
本発明においては、オプション機能を有するオプションユニットを調光ユニットと同一形状に形成したために、オプションユニットを調光ユニットと同じユニットスペースに組み付けることができる。
よって、個別仕様で要求される様々なオプション機能の配置スペースを共通化することにより、自動設計への展開を容易として、設計の軽減化を図ることができる。
【０００８】
本発明の調光装置は、前記オプションユニットは、前面に締結部材落下防止部を設けていることを特徴とする。
【０００９】
本発明においては、オプションユニットの前面に締結部材落下防止部を設けているために、盤内の感電部近傍にオプション機能の配線用の端子台が設置されていたとしても、感電部へのねじの落下による短絡等を防止することができる。
【００１０】
本発明の調光装置は、前記主幹盤と前記調光器盤とを電気的に接続する主幹バーを備え、少なくとも前記調光器盤は、絶縁性を有して階段状に形成され、前記主幹バーを支持する主幹バー支持部材を備えていることを特徴とする。
【００１１】
本発明においては、主幹バーを調光器盤の主幹バー支持部材に支持するために、従来のもののように、縦(高さ)もしくは奥行き方向に配列されて縦(高さ〉方向に大きなスペースを必要としなくなり、省スペース化を図ることができるとともに点検をし易くすることができる。
【発明の効果】
【００１２】
本発明の調光装置によれば、調光器盤は、主幹盤に対して複数連結可能であり、ユニットスペースは、調光ユニットと同一形状に形成されてオプション機能を有するオプションユニットと調光ユニットとを入れ替え自在である。
これにより、個別仕様に対して行っているオプション機能の設計の軽減化を図ることができるという効果を有する。
また、本発明の調光装置によれば、オプションユニットの前面に締結部材落下防止部を設けた。
これにより、感電部へのねじの落下による短絡等を防止することができるという効果を有する。
そして、本発明の調光装置によれば、少なくとも調光器盤に主幹バーを支持する主幹バー支持部を備えた。
これにより、省スペース化を図ることができるとともに点検をし易くすることができるという効果を有する。
【発明を実施するための最良の形態】
【００１３】
以下、本発明の実施形態に係る調光装置について、図面を参照して説明する。
【００１４】
本発明の一実施形態の調光装置１０は、主幹ブレーカを内蔵し、下部に自由空間１２を設けた主幹盤１１と、複数の３個の第１、第２、第３主幹バー１５，１６，１７と、調光機能を有する調光ユニット１８あるいはオプションユニット１９を搭載する複数の１０個のユニットスペース２０〜２９を有し、ユニットスペース２０〜２９の上部に冷却ファン３０をそれぞれ有する第１調光器盤１３および第２調光器盤１４と、を備える。
【００１５】
図１に示すように、主幹盤１１は、調光装置１０の左方部に配置されており、前面パネル３１の上部に入力端子台３２を配置し、入力端子台３２の下部に主幹ＭＣＣＢ（モールドケースサーキットブレーカ）３３を配置している。
【００１６】
第１、第２、第３主幹バー１５，１６，１７は、基端部３４を主幹ＭＣＣＢ３２から分岐導出しており、主幹盤１１の上部へ向けて屈曲してから、第１調光器盤１３および第２調光器盤１４の上部に中間部３５を形成している。
【００１７】
第１、第２、第３主幹バー１５，１６，１７は、中間部３５から第１調光器盤１３の下部へ向けて延出した第１調光器盤用接続部３６を形成し、中間部３５から第２調光器盤１４の下部へ向けて延出した第２調光器盤用接続部３７を形成している。
【００１８】
第１調光器盤１３は、調光装置１０の中央部に配置されて主幹盤１１に連結されている。第１調光器盤１３は、前面パネル３８の中央部に制御部３９を配置し、制御部３９の下側にユニットスペース２０〜２９を配置している。ユニットスペース２０〜２９はそれぞれ同一のスロット孔形状に形成されて不図示のレールおよび固定台を設けている。ユニットスペース２０〜２９は、１０個に限ることはなく、複数個を適宜選択することができる。
【００１９】
第１調光器盤１３は、制御部３９の上側に冷却ファン３０を配置している。冷却ファン３０は駆動されることにより第１調光器盤１３内の空気を吸引して外部に放出して内部温度の抑制を図る。
【００２０】
第１調光器盤１３は、冷却ファン３０の上側に主幹バー支持部材４０を組み付けている。主幹バー支持部材４０は絶縁性を有し、第１主幹バー支持部４１と、第２主幹バー支持部４２と、第３主幹バー支持部４３と、を階段状に形成している。主幹バー支持部材４０は、第１主幹バー支持部４１に第１主幹バー１５の中間部３５を、第２主幹バー支持部４１に第２主幹バー１６の中間部３５を、第３主幹バー支持部４２に第３主幹バー１７の中間部３５を、それぞれ掛止することにより支持している。
【００２１】
第２調光器盤１４は、第１調光器盤１３と同一の外形を有して第１調光器盤１３の右方に連結されている。第２調光器盤１４は、前面パネル４４の中央部に制御部４５を配置し、制御部４５の下側にユニットスペース２０〜２９を配置している。
【００２２】
第２調光器盤１４は、制御部４５の上側に冷却ファン３０を配置している。冷却ファン３０は駆動されることにより第２調光器盤１４内の空気を吸引して外部に放出して内部温度の抑制を図る。
【００２３】
図２（Ａ）、（Ｂ）にも示すように、主幹バー支持部材４０は、各主幹バー支持部４１，４２，４３が凹溝形状に形成されている。主幹バー支持部材４０は、各主幹バー支持部４１，４２，４３に各主幹バー１５，１６，１７の中間部３５をそれぞれ落とし込む。これにより、各主幹バー１５，１６，１７の脱落防止を図るとともに、各主幹バー１５，１６，１７の絶縁距離を確保するために前後と高さの位置の位置決めを図って保持する。
【００２４】
主幹バー支持部材４０は、調光装置１０の前面に各主幹バー１５，１６，１７を配置して各主幹バー１５，１６，１７を支持する。
よって、従来のもののように、縦(高さ〉方向に大きなスペースを必要とせずに、高さ方向の設置長さを短くするだけでなく点検時のねじ等の緩みの正面からの視認性を向上させることにより点検をしやすくすることができる。
【００２５】
図３にも示すように、調光ユニット１８は、調光回路部を内蔵しており、前面パネル４６に操作スイッチ４７を組み付けている。調光ユニット１８は、前面パネル４６の両側部に、ねじ孔４８を有する一対の固定金具４９を設けている。
【００２６】
調光ユニット１８は、中型施設や大型施設の仕様に応じて単一あるいは複数個用意され、第１調光器盤１３のユニットスペース２０〜２９に、あるいは第２調光器盤１４のユニットスペース２０〜２９に、それぞれ挿入されて固定金具４９を介して固定される。
【００２７】
図４にも示すように、オプションユニット１９は、調光ユニット１８と同一の外形に形成されており、内部に個別のオプション機能を内蔵している。
よって、オプションユニット１９を調光ユニット１８と同じユニットスペース２０〜２９に組み付けることができる。
【００２８】
オプションユニット１９は、前面パネル５０の両側部に、ねじ孔５１を有する一対の固定金具５２を設けており、外部配線を不要とする。
【００２９】
オプションユニット１９は、個別のオプション仕様に応じて単一あるいは複数個用意される。そして、オプションユニット１９は、第１調光器盤１３における調光ユニット１８の装着されていないユニットスペース２０〜２９に、あるいは第２調光器盤１４における調光ユニット１８の装着されていないユニットスペース２０〜２９に挿入されて固定金具５２を介して固定される。オプションユニット１９は、ユニットスペース２０〜２９に挿入固定されることにより、第１調光器盤１３の制御部３９あるいは第２調光器盤１４の制御部４５に電気的に接続される。
【００３０】
図５にも示すように、オプションユニットの第１変形例では、オプションユニット５３は、内部に個別の２個のオプション機能を２段に内蔵しており、単一の前面パネル５４の両側部に、ねじ孔５５を有する一対の固定金具５６を設けている。
【００３１】
オプションユニット５３は、個別のオプション仕様に応じて単一あるいは複数個用意され、第１調光器盤１３における調光ユニット１８の装着されていないユニットスペース２０〜２９のうちの２段に、あるいは第２調光器盤１４における調光ユニット１８の装着されていないユニットスペース２０〜２９のうちの２段に挿入されて固定金具５６を介して固定される。
【００３２】
図６（Ａ），（Ｂ）にも示すように、調光ユニットの第２変形例では、外部配線が必要なオプションユニット５７について説明する。
【００３３】
オプションユニット５７は、本体ケース５８と、前面カバー５９と、締結部材落下防止部である受金具６０と、オプション機能の配線用であって締結部材であるナットやねじがねじ込まれる端子台６１と、を有する。受金具６０は、磁性体を素材として成形されるのが好ましい。
【００３４】
オプションユニット５７は、受金具６０を、前面カバー５９と端子台６１とのあいだにおける端子台６１への治具挿入スペースの下側に配置している。
よって、盤内の感電部近傍に端子台６１が設置された場合に、万が一に、締結部材が端子台６１から脱落したとしても、その締結部材を受金具６０が受け止めて感電部へ落下させることがない。
【００３５】
前述した調光装置１０では、複数の第１調光器盤１３および第２調光器盤１４を主幹盤１１に対して連結可能にした。
これにより、オプション機能の数に応じて各調光器盤１３，１４を適宜連結することができる。
よって、オプション機能を個別仕様に応じて別途に設計している従来のものと比べて、設計の簡略化を図ることができる。
【００３６】
また、調光装置１０では、オプション機能を有するオプションユニット１９，５３，５７を調光ユニット１８と同一形状に形成したために、オプションユニット１９，５３，５７を調光ユニット１８と同じユニットスペース２０〜２９に組み付けることができる。
よって、個別仕様で要求される様々なオプション機能の配置スペースを共通化することにより、自動設計への展開を容易として、設計の軽減化を図ることができる。
【００３７】
そして、調光装置１０では、オプションユニット５７の前面に受金具６０を設けているために、盤内の感電部近傍にオプション機能の配線用の端子台６１が設置されていたとしても、感電部へのねじの落下による短絡等を防止することができる。
【００３８】
さらに、調光装置１０では、各主幹バー１５，１６，１７を第１調光器盤１３の主幹バー支持部材４０に支持するために、従来のもののように、縦(高さ)もしくは奥行き方向に配列されて縦(高さ〉方向に大きなスペースを必要としなくなり、省スペース化を図ることができるとともに点検をし易くすることができる。
【００３９】
なお、前記実施形態で使用した主幹盤１１、各調光器盤１３，１４、各主幹バー１５，１６，１７等は例示したものに限定するものではなく適宜変更が可能である。
【図面の簡単な説明】
【００４０】
【図１】本発明に係る一実施形態の調光装置の正面図
【図２】（Ａ）は図１の調光装置に適用される主幹バー支持部材の正面図、（Ｂ）は（Ａ）の（Ｉ−Ｉ）断面図
【図３】図１の調光装置に適用される調光ユニットの正面図
【図４】図１の調光装置に適用されるオプションユニットの正面図
【図５】図１の調光装置に適用されるオプションユニットの第１変形例の正面図
【図６】（Ａ）は図１の調光装置に適用されるオプションユニットの第２変形例の側面図、（Ｂ）は（Ａ）の平面図
【符号の説明】
【００４１】
１０  調光装置
１１  主幹盤
１２  自由空間
１３  第１調光器盤（調光器盤）
１４  第２調光器盤（調光器盤）
１５  第１主幹バー（主幹バー）（銅バー）
１６  第２主幹バー（主幹バー）（銅バー）
１７  第３主幹バー（主幹バー）（銅バー）
１８  調光ユニット
１９、２０、２１、２２、２３、２４、２５、２６、２７、２８、２９  ユニットスペース
３０  冷却ファン
４０  主幹バー支持部材
５３、５７  オプションユニット
６０  受金具（締結部材落下防止部）
【図１】
2010080078.tif 000003
【図２】
2010080078.tif 000004
【図３】
2010080078.tif 000005
【図４】
2010080078.tif 000006
【図５】
2010080078.tif 000007
【図６】
2010080078.tif 000008